(57)【要約】  本願の実施例はデータ伝送方法、端末装置及びネットワーク装置を開示し、該方法は、端末装置が帯域幅部分（ＢＷＰ）指示情報、ＢＷＰタイマー及びＢＷＰの優先度のうちの少なくとも１種に基づいて、ターゲットＢＷＰを確定することと、前記端末装置が前記ターゲットＢＷＰでデータを伝送することと、を含む。
2021510463.tif 000002
【特許請求の範囲】
【請求項１】
端末装置は帯域幅部分（ＢＷＰ）指示情報、ＢＷＰタイマー及びＢＷＰの優先度のうちの少なくとも１種に基づいて、ターゲットＢＷＰを確定することと、
前記端末装置は前記ターゲットＢＷＰでデータを伝送することと、を含むことを特徴とするデータ伝送方法。
【請求項２】
前記端末装置が帯域幅部分（ＢＷＰ）指示、ＢＷＰタイマー及びＢＷＰの優先度のうちの少なくとも１種に基づいてターゲットＢＷＰを確定することは、
前記端末装置が、優先度の高いＢＷＰを前記ターゲットＢＷＰとして確定することを含むことを特徴とする請求項１に記載の方法。
【請求項３】
前記ＢＷＰの優先度はシグナリング設定、ＢＷＰ指示情報の受信順序及びＢＷＰ指示情報が位置するチャネルの優先度設定のうちの少なくとも１種によって確定されることを特徴とする請求項１又は２に記載の方法。
【請求項４】
デフォルトＢＷＰの優先度は最も低いことを特徴とする請求項１〜３のいずれか一項に記載の方法。
【請求項５】
前記ＢＷＰタイマーの設定は特定の時間長さ、特定の時間パターン、データ伝送時間長さ及び無限時間長さのうちの少なくとも１種を含むことを特徴とする請求項１〜４のいずれか一項に記載の方法。
【請求項６】
前記データ伝送時間長さは１回のデータ伝送の時間長さ、又は半永続的スケジューリングの時間長さであることを特徴とする請求項５に記載の方法。
【請求項７】
前記ＢＷＰタイマーはＢＷＰ専用であり、又は個別に設定されることを特徴とする請求項１〜６のいずれか一項に記載の方法。
【請求項８】
前記ＢＷＰタイマーは、ＢＷＰ設定の状態及びスケジューリングタイプのうちの少なくとも１種によって確定されることを特徴とする請求項１〜７のいずれか一項に記載の方法。
【請求項９】
前記ＢＷＰ設定の状態は、同時に有効になるＢＷＰの数を指示することに用いられることを特徴とする請求項８に記載の方法。
【請求項１０】
前記端末装置は前記帯域幅部分（ＢＷＰ）指示情報、ＢＷＰタイマー及びＢＷＰの優先度のうちの少なくとも１種の設定情報を受信することを更に含むことを特徴とする請求項１〜９のいずれか一項に記載の方法。
【請求項１１】
ネットワーク装置は帯域幅部分（ＢＷＰ）指示情報、ＢＷＰタイマー及びＢＷＰの優先度のうちの少なくとも１種に基づいて、ターゲットＢＷＰを確定することと、
前記ネットワーク装置は前記ターゲットＢＷＰでデータを受信することと、を含むことを特徴とするデータ伝送方法。
【請求項１２】
前記ネットワーク装置が帯域幅部分（ＢＷＰ）指示、ＢＷＰタイマー及びＢＷＰの優先度のうちの少なくとも１種に基づいてターゲットＢＷＰを確定することは、
ネットワーク装置が、優先度の高いＢＷＰを前記ターゲットＢＷＰとして確定することを含むことを特徴とする請求項１１に記載の方法。
【請求項１３】
前記ＢＷＰの優先度はシグナリング設定、ＢＷＰ指示情報の受信順序及びＢＷＰ指示情報が位置するチャネルの優先度設定のうちの少なくとも１種によって確定されることを特徴とする請求項１１又は１２に記載の方法。
【請求項１４】
デフォルトＢＷＰの優先度は最も低いことを特徴とする請求項１１〜１３のいずれか一項に記載の方法。
【請求項１５】
前記ＢＷＰタイマーの設定は特定の時間長さ、特定の時間パターン、データ伝送時間長さ及び無限時間長さのうちの少なくとも１種を含むことを特徴とする請求項１１〜１４のいずれか一項に記載の方法。
【請求項１６】
前記データ伝送時間長さは１回のデータ伝送の時間長さ、又は半永続的スケジューリングの時間長さであることを特徴とする請求項１５に記載の方法。
【請求項１７】
前記ＢＷＰタイマーはＢＷＰ専用であり、又は個別に設定されることを特徴とする請求項１１〜１６のいずれか一項に記載の方法。
【請求項１８】
前記ＢＷＰタイマーは、ＢＷＰ設定の状態及びスケジューリングタイプのうちの少なくとも１種によって確定されることを特徴とする請求項１１〜１７のいずれか一項に記載の方法。
【請求項１９】
前記ＢＷＰ設定の状態は、同時に有効になるＢＷＰの数を指示することに用いられることを特徴とする請求項１８に記載の方法。
【請求項２０】
前記ネットワーク装置は帯域幅部分（ＢＷＰ）指示情報、ＢＷＰタイマー及びＢＷＰの優先度のうちの少なくとも１種の設定情報を端末装置に送信することを更に含むことを特徴とする請求項１１〜１９のいずれか一項に記載の方法。
【請求項２１】
帯域幅部分（ＢＷＰ）指示情報、ＢＷＰタイマー及びＢＷＰの優先度のうちの少なくとも１種に基づいて、ターゲットＢＷＰを確定することに用いられる確定モジュールと、
前記ターゲットＢＷＰでデータを伝送することに用いられる通信モジュールと、を備えることを特徴とする端末装置。
【請求項２２】
前記確定モジュールは具体的には、
優先度が高いＢＷＰを前記ターゲットＢＷＰとして確定することに用いられることを特徴とする請求項２１に記載の端末装置。
【請求項２３】
前記ＢＷＰの優先度はシグナリング設定、ＢＷＰ指示情報の受信順序及びＢＷＰ指示情報が位置するチャネルの優先度設定のうちの少なくとも１種によって確定されることを特徴とする請求項２１又は２２に記載の端末装置。
【請求項２４】
デフォルトＢＷＰの優先度は最も低いことを特徴とする請求項２１〜２３のいずれか一項に記載の端末装置。
【請求項２５】
前記ＢＷＰタイマーの設定は特定の時間長さ、特定の時間パターン、データ伝送時間長さ及び無限時間長さのうちの少なくとも１種を含むことを特徴とする請求項２１〜２４のいずれか一項に記載の端末装置。
【請求項２６】
前記データ伝送時間長さは１回のデータ伝送の時間長さ、又は半永続的スケジューリングの時間長さであることを特徴とする請求項２５に記載の端末装置。
【請求項２７】
前記ＢＷＰタイマーはＢＷＰ専用であり、又は個別に設定されることを特徴とする請求項２１〜２６のいずれか一項に記載の端末装置。
【請求項２８】
前記ＢＷＰタイマーは、ＢＷＰ設定の状態及びスケジューリングタイプのうちの少なくとも１種によって確定されることを特徴とする請求項２１〜２７のいずれか一項に記載の端末装置。
【請求項２９】
前記ＢＷＰ設定の状態は、同時に有効になるＢＷＰの数を指示することに用いられることを特徴とする請求項２８に記載の端末装置。
【請求項３０】
前記通信モジュールは更に、
前記帯域幅部分（ＢＷＰ）指示情報、ＢＷＰタイマー及びＢＷＰの優先度のうちの少なくとも１種の設定情報を受信することに用いられることを特徴とする請求項２１〜２９のいずれか一項に記載の端末装置。
【請求項３１】
帯域幅部分（ＢＷＰ）指示情報、ＢＷＰタイマー及びＢＷＰの優先度のうちの少なくとも１種に基づいて、ターゲットＢＷＰを確定することに用いられる確定モジュールと、
前記ターゲットＢＷＰでデータを受信することに用いられる通信モジュールと、を備えることを特徴とするネットワーク装置。
【請求項３２】
前記確定モジュールは具体的には、
優先度が高いＢＷＰを前記ターゲットＢＷＰとして確定することに用いられることを特徴とする請求項３１に記載のネットワーク装置。
【請求項３３】
前記ＢＷＰの優先度はシグナリング設定、ＢＷＰ指示情報の受信順序及びＢＷＰ指示情報が位置するチャネルの優先度設定のうちの少なくとも１種によって確定されることを特徴とする請求項３１又は３２に記載のネットワーク装置。
【請求項３４】
デフォルトＢＷＰの優先度は最も低いことを特徴とする請求項３１〜３３のいずれか一項に記載のネットワーク装置。
【請求項３５】
前記ＢＷＰタイマーの設定は特定の時間長さ、特定の時間パターン、データ伝送時間長さ及び無限時間長さのうちの少なくとも１種を含むことを特徴とする請求項３１〜３４のいずれか一項に記載のネットワーク装置。
【請求項３６】
前記データ伝送時間長さは１回のデータ伝送の時間長さ、又は半永続的スケジューリングの時間長さであることを特徴とする請求項３５に記載のネットワーク装置。
【請求項３７】
前記ＢＷＰタイマーはＢＷＰ専用であり、又は個別に設定されることを特徴とする請求項３１〜３６のいずれか一項に記載のネットワーク装置。
【請求項３８】
前記ＢＷＰタイマーは、ＢＷＰ設定の状態及びスケジューリングタイプのうちの少なくとも１種によって確定されることを特徴とする請求項３１〜３７のいずれか一項に記載のネットワーク装置。
【請求項３９】
前記ＢＷＰ設定の状態は、同時に有効になるＢＷＰの数を指示することに用いられることを特徴とする請求項３８に記載のネットワーク装置。
【請求項４０】
前記通信モジュールは更に、
帯域幅部分（ＢＷＰ）指示情報、ＢＷＰタイマー及びＢＷＰの優先度のうちの少なくとも１種の設定情報を端末装置に送信することに用いられることを特徴とする請求項３１〜３９のいずれか一項に記載のネットワーク装置。
【発明の詳細な説明】
【技術分野】
【０００１】
本願の実施例は通信分野に関し、より具体的に、データ伝送方法、端末装置及びネットワーク装置に関する。
【背景技術】
【０００２】
５Ｇ新無線（Ｎｅｗ  Ｒａｄｉｏ、ＮＲ）システムについての検討では、ＮＲシステムのサポートするシステム帯域幅がロングタームエボリューション（Ｌｏｎｇ  Ｔｅｒｍ  Ｅｖｏｌｕｔｉｏｎ、ＬＴＥ）システムのシステム帯域幅よりも遥かに大きいことを見出したが、端末装置によっては、その能力が限られているため、すべてのシステム帯域幅をサポートできず、従って、ＮＲシステムに帯域幅部分（Ｂａｎｄｗｉｄｔｈ  Ｐａｒｔ、ＢＷＰ）の概念が導入され、ネットワーク装置は端末装置に１つ又は複数のＢＷＰを設定することができ、各ＢＷＰの帯域幅が最大システム帯域幅以下である。
【０００３】
ネットワーク装置はダウンリンク制御情報（Ｄｏｗｎｌｉｎｋ  Ｃｏｎｔｒｏｌ  Ｉｎｆｏｒｍａｔｉｏｎ、ＤＣＩ）によってＢＷＰの設定をアクティベーション又はディアクティベーションし、前記ネットワーク装置はＢＷＰタイマーを設定してもよく、ＢＷＰタイマーがタイムアウトすると、デフォルト（ｄｅｆａｕｌｔ）ＢＷＰに戻る。
【０００４】
しかしながら、複数のＢＷＰがタイマーのタイムアウトの前にある場合、如何にＢＷＰ設定を確定してデータ伝送を行うかは解決を急ぐべき課題となっている。
【発明の概要】
【発明が解決しようとする課題】
【０００５】
本願の実施例は、複数のＢＷＰが共存する場合での切り替えの問題を解決するデータ伝送方法、端末装置及びネットワーク装置を提供する。
【課題を解決するための手段】
【０００６】
第１態様によれば、データ伝送方法を提供し、
端末装置は帯域幅部分（ＢＷＰ）指示情報、ＢＷＰタイマー及びＢＷＰの優先度のうちの少なくとも１種に基づいて、ターゲットＢＷＰを確定することと、
前記端末装置は前記ターゲットＢＷＰでデータを伝送することと、を含む。
【０００７】
選択肢として、本願の実施例におけるＢＷＰタイマーは有効開始時刻及びＢＷＰの有効時間長さを設定することによって確定され、又は有効開始時刻及び無効時刻を設定することによって確定されるようにしてもよい。
【０００８】
第１態様において、第１態様のいくつかの可能な実施形態では、前記端末装置が帯域幅部分（ＢＷＰ）指示、ＢＷＰタイマー及びＢＷＰの優先度のうちの少なくとも１種に基づいてターゲットＢＷＰを確定することは、
前記端末装置が、優先度の高いＢＷＰを前記ターゲットＢＷＰとして確定することを含む。
【０００９】
従って、本願の実施例に係るデータ伝送方法によれば、複数のＢＷＰが同時に有効になる場合、前記端末装置は優先度が高いＢＷＰを選択してデータ伝送を行うことができ、端末装置がどのＢＷＰでデータ伝送を行うかを分からないため、伝送効率が低い問題を回避することに有利である。
【００１０】
第１態様において、第１態様のいくつかの可能な実施形態では、前記ＢＷＰの優先度はシグナリング設定、ＢＷＰ指示情報の受信順序及びＢＷＰ指示情報が位置するチャネルの優先度設定のうちの少なくとも１種によって確定される。
【００１１】
第１態様において、第１態様のいくつかの可能な実施形態では、デフォルトＢＷＰの優先度は最も低い。
【００１２】
第１態様において、第１態様のいくつかの可能な実施形態では、前記ＢＷＰタイマーの設定は特定の時間長さ、特定の時間パターン、データ伝送時間長さ及び無限時間長さのうちの少なくとも１種を含む。従って、前記端末装置は異なるシーンのニーズに応じて、異なるＢＷＰタイマーの時間長さを設定し、それにより異なるシーンの伝送ニーズを満たすことができる。
【００１３】
第１態様において、第１態様のいくつかの可能な実施形態では、前記データ伝送時間は１回のデータ伝送の時間長さ、又は半永続的スケジューリングの時間長さである。
【００１４】
例えば、半永続的スケジューリングの場合、データ伝送時間長さは半永続的スケジューリングの時間長さであってもよく、該半永続的スケジューリングの時間長さは半永続的スケジューリングの開始時刻から終了時刻までの時間長さであってもよく、半永続的スケジューリングの開始時刻から終了時刻までの半永続的スケジューリング伝送用の時間長さであってもよい。動的スケジューリングの場合、ＢＷＰの時間長さは動的スケジューリングのデータ伝送時間長さであってもよい。
【００１５】
第１態様において、第１態様のいくつかの可能な実施形態では、前記ＢＷＰタイマーはＢＷＰ専用であり、又は個別に設定される。
【００１６】
第１態様において、第１態様のいくつかの可能な実施形態では、前記ＢＷＰタイマーは、ＢＷＰ設定の状態及びスケジューリングタイプのうちの少なくとも１種によって確定される。
【００１７】
例えば、半永続的スケジューリングの場合、ＢＷＰタイマーの時間長さは半永続的スケジューリングの時間長さに等しくてもよい。又は、動的スケジューリングの場合、ＢＷＰタイマーの時間長さはデータ伝送時間長さ、又は半静的に設定されるＢＷＰの有効期間であってもよい。
【００１８】
第１態様において、第１態様のいくつかの可能な実施形態では、前記ＢＷＰ設定の状態は、同時に有効になるＢＷＰの数を指示することに用いられる。
【００１９】
第１態様において、第１態様のいくつかの可能な実施形態では、前記方法は、
前記端末装置が、前記帯域幅部分（ＢＷＰ）指示情報、ＢＷＰタイマー及びＢＷＰの優先度のうちの少なくとも１種の設定情報を受信することを更に含む。
【００２０】
第２態様によれば、データ伝送方法を提供し、
ネットワーク装置は帯域幅部分（ＢＷＰ）指示情報、ＢＷＰタイマー及びＢＷＰの優先度のうちの少なくとも１種に基づいて、ターゲットＢＷＰを確定することと、
前記ネットワーク装置は前記ターゲットＢＷＰでデータを受信することと、を含む。
【００２１】
第２態様において、第２態様のいくつかの可能な実施形態では、前記ネットワーク装置が帯域幅部分（ＢＷＰ）指示、ＢＷＰタイマー及びＢＷＰの優先度のうちの少なくとも１種に基づいてターゲットＢＷＰを確定することは、
ネットワーク装置が、優先度の高いＢＷＰを前記ターゲットＢＷＰとして確定することを含む。
【００２２】
第２態様において、第２態様のいくつかの可能な実施形態では、前記ＢＷＰの優先度はシグナリング設定、ＢＷＰ指示情報の受信順序及びＢＷＰ指示情報が位置するチャネルの優先度設定のうちの少なくとも１種によって確定される。
【００２３】
第２態様において、第２態様のいくつかの可能な実施形態では、デフォルトＢＷＰの優先度は最も低い。
【００２４】
第２態様において、第２態様のいくつかの可能な実施形態では、前記ＢＷＰタイマーの設定は特定の時間長さ、特定の時間パターン、データ伝送時間長さ及び無限時間長さのうちの少なくとも１種を含む。
【００２５】
第２態様において、第２態様のいくつかの可能な実施形態では、前記データ伝送時間長さは１回のデータ伝送の時間長さ、又は半永続的スケジューリングの時間長さである。
【００２６】
第２態様において、第２態様のいくつかの可能な実施形態では、前記ＢＷＰタイマーはＢＷＰ専用であり、又は個別に設定される。
【００２７】
第２態様において、第２態様のいくつかの可能な実施形態では、前記ＢＷＰタイマーは、ＢＷＰ設定の状態及びスケジューリングタイプのうちの少なくとも１種によって確定される。
【００２８】
第２態様において、第２態様のいくつかの可能な実施形態では、前記ＢＷＰ設定の状態は、同時に有効になるＢＷＰの数を指示することに用いられる。
【００２９】
第２態様において、第２態様のいくつかの可能な実施形態では、前記方法は、
前記ネットワーク装置が、帯域幅部分（ＢＷＰ）指示情報、ＢＷＰタイマー及びＢＷＰの優先度のうちの少なくとも１種の設定情報を端末装置に送信することを更に含む。
【００３０】
第３態様によれば、端末装置を提供し、上記第１態様又は第１態様の可能な実施形態のいずれかに係る方法を実行することに用いられる。具体的に、該端末装置は上記第１態様又は第１態様の可能な実施形態のいずれかに記載の方法を実行することに用いられるユニットを備える。
【００３１】
第４態様によれば、端末装置を提供し、該端末装置はメモリ、プロセッサ、入力インタフェース及び出力インタフェースを備える。メモリ、プロセッサ、入力インタフェース及び出力インタフェースはバスシステムによって接続される。該メモリは命令を記憶することに用いられ、該プロセッサは該メモリに記憶される命令を実行し、上記第１態様又は第１態様の可能な実施形態のいずれかに記載の方法を実行することに用いられる。
【００３２】
第５態様によれば、ネットワーク装置を提供し、上記第２態様又は第２態様の可能な実施形態のいずれかに係る方法を実行することに用いられる。具体的に、該ネットワーク装置は上記第２態様又は第２態様の可能な実施形態のいずれかに記載の方法を実行することに用いられるユニットを備える。
【００３３】
第６態様によれば、ネットワーク装置を提供し、該ネットワーク装置はメモリ、プロセッサ、入力インタフェース及び出力インタフェースを備える。メモリ、プロセッサ、入力インタフェース及び出力インタフェースはバスシステムによって接続される。該メモリは命令を記憶することに用いられ、該プロセッサは該メモリに記憶される命令を実行し、上記第２態様又は第２態様の可能な実施形態のいずれかに記載の方法を実行することに用いられる。
【００３４】
第７態様によれば、コンピュータ記憶媒体を提供し、上記第１態様又は第１態様の可能な実施形態のいずれかに係る方法を実行するためのコンピュータソフトウェア命令を記憶することに用いられ、上記態様を実行するために設計されるプログラムを含む。
【００３５】
第８態様によれば、命令を含むコンピュータプログラム製品を提供し、コンピュータによって実行されると、コンピュータに上記第１態様又は第１態様の実施形態のいずれかに記載の方法を実行させる。
【００３６】
第９態様によれば、コンピュータ記憶媒体を提供し、上記第２態様又は第２態様の可能な実施形態のいずれかに係る方法を実行するためのコンピュータソフトウェア命令を記憶することに用いられ、上記態様を実行するために設計されるプログラムを含む。
【００３７】
第１０態様によれば、命令を含むコンピュータプログラム製品を提供し、コンピュータによって実行されると、コンピュータに上記第２態様又は第２態様の実施形態のいずれかに記載の方法を実行させる。
【図面の簡単な説明】
【００３８】
【図１】図１は本願の実施例の一応用シーンの模式図を示す。
【図２】図２は本願の実施例に係るデータ伝送方法の模式的なフローチャートを示す。
【図３】図３はＢＷＰタイマーの時間長さ確定方式の模式図を示す。
【図４】図４は他のＢＷＰタイマーの時間長さ確定方式の模式図を示す。
【図５】図５は更に他のＢＷＰタイマーの時間長さ確定方式の模式図を示す。
【図６】図６は更に他のＢＷＰタイマーの時間長さ確定方式の模式図を示す。
【図７】図７は更に他のＢＷＰタイマーの時間長さ確定方式の模式図を示す。
【図８】図８は更に他のＢＷＰタイマーの時間長さ確定方式の模式図を示す。
【図９】図９は本願の他の実施例に係るデータ伝送方法の模式的なフローチャートを示す。
【図１０】図１０は本願の実施例に係る端末装置の模式的なブロック図を示す。
【図１１】図１１は本願の他の実施例に係るネットワーク装置の模式的なブロック図を示す。
【図１２】図１２は本願の実施例に係る端末装置の模式的なブロック図を示す。
【図１３】図１３は本願の他の実施例に係るネットワーク装置の模式的なブロック図を示す。
【発明を実施するための形態】
【００３９】
以下、図面を参照して本願の実施例の技術案を説明する。
【００４０】
本願の実施例に係る技術案は、例えば、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、又は将来の５Ｇシステム等の各種の通信システムに適用される。
【００４１】
図１は本願の実施例の応用する無線通信システム１００を示す。該無線通信システム１００はネットワーク装置１１０を含み得る。ネットワーク装置１００は端末装置と通信する装置であり得る。ネットワーク装置１００は特定の地理的エリアに通信カバレッジを提供し、且つ該カバレッジエリア内に位置する端末装置（例えば、ＵＥ）と通信可能である。選択肢として、該ネットワーク装置１００はＬＴＥシステム中の発展型基地局（Ｅｖｏｌｕｔｉｏｎａｌ  Ｎｏｄｅ  Ｂ、ｅＮＢ又はｅＮｏｄｅＢ）であってもよく、又は、該ネットワーク装置は中継局、アクセスポイント、車載装置、ウェアラブル装置、将来の５Ｇネットワーク中のネットワーク側装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）中のネットワーク装置等であってもよい。
【００４２】
該無線通信システム１００は、ネットワーク装置１１０のカバレッジ範囲内に位置する少なくとも１つの端末装置１２０を更に備える。端末装置１２０は移動型又は固定型である。選択肢として、端末装置１２０とはアクセス端末、ユーザー装置（Ｕｓｅｒ  Ｅｑｕｉｐｍｅｎｔ、ＵＥ）、ユーザーユニット、ユーザー局、移動局、移動ステーション、遠隔局、遠隔端末、移動装置、ユーザー端末、端末、無線通信装置、ユーザーエージェント又はユーザーデバイスを指してもよい。アクセス端末はセルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続される他の処理装置、車載装置、ウェアラブル装置、将来の５Ｇネットワーク中の端末装置又は将来の発展型ＰＬＭＮ中の端末装置等であってもよい。
【００４３】
本願の実施例では、ネットワーク装置が端末装置に設定するＢＷＰは下記１〜３のうちの少なくとも１つを含む。
【００４４】
１、キャリア間隔を識別するための基本ヌメロロジー、
２、中心周波数点、
３、最大システム帯域幅以下の帯域幅。
【００４５】
以上から分かるように、ＢＷＰは周波数領域次元の概念であり、端末装置は１つの時点に１つのアクティベーションされたＢＷＰをサポートでき、即ち、端末装置はアクティベーションされたＢＷＰによって規定される帯域幅でデータを伝送し、例えば、制御シグナリング、アップリンク／ダウンリンクデータの伝送又はシステムメッセージの受信等を行うことが望まれている。
【００４６】
以上のように、ネットワーク装置はＤＣＩによってＢＷＰをアクティベーション又はディアクティベーションしてもよく、ＢＷＰタイマーを設定してもよく、該ＢＷＰ設定がアクティベーションされた後、該ＢＷＰに対応するＢＷＰタイマーがタイムアウトすると、デフォルトＢＷＰに戻ってデータ伝送を行う。
【００４７】
しかし、いくつかのシーンでは、複数のＢＷＰのＢＷＰタイマーがいずれもタイムアウトしておらず、即ち該複数のＢＷＰがいずれも有効期間内にある場合、端末装置又はネットワーク装置はどのＢＷＰでデータを受信するかを分からない。
【００４８】
上記事情に鑑みて、本願の実施例は、端末装置又はネットワーク装置がどのＢＷＰでデータ受信を行うかを把握できるデータ伝送方法を提供する。
【００４９】
図２は本願の一実施例に係るデータ伝送方法２００の模式的なフローチャートであり、該方法２００は図１に示される通信システム１００中の端末装置によって実行されてもよく、図２に示すように、該方法２００は下記Ｓ２１０〜Ｓ２２０を含む。
【００５０】
Ｓ２１０、端末装置は帯域幅部分（ＢＷＰ）指示情報、ＢＷＰタイマー及びＢＷＰの優先度のうちの少なくとも１種に基づいて、ターゲットＢＷＰを確定する。
【００５１】
Ｓ２２０、前記端末装置は前記ターゲットＢＷＰでデータを伝送する。
【００５２】
なお、本願の実施例におけるＢＷＰタイマーは有効開始時刻及びＢＷＰの有効時間長さを設定することによって確定され、又は有効開始時刻及び無効時刻を設定することによって確定されるようにしてもよい。ＢＷＰタイマーがタイムアウトしていない場合、該ＢＷＰタイマーに対応するＢＷＰは有効期間内にあり、該ＢＷＰでデータ伝送を行うことができ、ＢＷＰタイマーがタイムアウトする場合、該ＢＷＰタイマーに対応するＢＷＰは無効であり、該ＢＷＰでデータ伝送を行うことが不能である。
【００５３】
具体的には、現時刻に、少なくとも１つのＢＷＰがアクティブ状態にあり、即ち、少なくとも１つのＢＷＰが有効期間内にある場合、前記端末装置は受信したＢＷＰ指示を含むダウンリンク制御情報（Ｇｒａｎｔ）、ＢＷＰタイマー及びＢＷＰの優先度のうちの１種又は複数種に基づいて、現在どのＢＷＰでデータ伝送を行うかを確定し、即ち、データ伝送を行うターゲットＢＷＰを確定し、その後、該ターゲットＢＷＰでデータ伝送を行う。
【００５４】
例えば、現在第１のＢＷＰがアクティブ状態にあり、その後、端末装置は第２のＢＷＰをアクティベーションするための指示情報を受信する場合、前記端末装置は前記第２のＢＷＰを前記ターゲットＢＷＰとして確定し、前記第２のＢＷＰでデータ伝送を行うことができる。又は、第１のＢＷＰと第２のＢＷＰが現在いずれもアクティブ状態にあり、第２のＢＷＰの優先度が前記第１のＢＷＰの優先度よりも高い場合、前記端末装置は前記第２のＢＷＰを前記ターゲットＢＷＰとして確定し、それから、優先的に前記第２のＢＷＰでデータ伝送を行うことができる。第２のＢＷＰでのデータ伝送が終了した後、前記第１のＢＷＰに対応するＢＷＰタイマーがタイムアウトしていない場合、前記端末装置は前記第１のＢＷＰに切り替え、続けて前記第１のＢＷＰでデータ伝送を行うことができ、又は、前記第１のＢＷＰのＢＷＰタイマーがタイムアウトし、且つ他のＢＷＰがアクティブ状態ではない場合、前記端末装置はＤｅｆａｕｌｔ  ＢＷＰに切り替えてデータ伝送を行うことができる。
【００５５】
即ち、複数のＢＷＰがいずれも有効期間内にある場合、前記端末装置は優先的にＢＷＰの優先度に基づいて、データ伝送を行うＢＷＰを確定し、優先度が高いＢＷＰでのデータ受信が終了した後、優先度が低いＢＷＰでデータ受信を行い、デフォルトＢＷＰ以外のＢＷＰでのデータ伝送がすべて終了した後、又は対応するＢＷＰタイマーがいずれもタイムアウトする場合、前記端末装置はデフォルトＢＷＰに戻ってデータ伝送を行い、即ち、デフォルトＢＷＰの優先度は最も低い。
【００５６】
なお、以上ではＢＷＰ指示情報、ＢＷＰタイマー及びＢＷＰの優先度のうちの少なくとも１種に基づいてターゲットＢＷＰを確定する方式を例示したが、本願の実施例を限定するものではなく、本願の実施例は他の情報、例えば伝送対象サービスのサービスタイプ等の情報に基づいてターゲットＢＷＰを確定してもよく、本願の実施例ではそれを限定しない。
【００５７】
なお、本願の実施例では、具体的なシーンの説明及び区別の便宜上、１つ又は複数のＢＷＰが有効期間内にあることは、アクティベーションされた１つ又は複数のＢＷＰが有効期間内にあることを意味し、デフォルトＢＷＰは除外する。
【００５８】
選択肢として、本願の実施例では、前記ＢＷＰの優先度はシグナリング設定、ＢＷＰ指示情報の受信順序及びＢＷＰ指示情報が位置するチャネルの優先度設定のうちの少なくとも１種によって確定される。
【００５９】
例えば、ＢＷＰの優先度はネットワーク装置がシグナリング（例えば、無線リソース制御（Ｒａｄｉｏ  Ｒｅｓｏｕｒｃｅ  Ｃｏｎｔｒｏｌ、ＲＲＣ）シグナリング）によって設定したものであってもよく、ネットワーク装置はＢＷＰ２の優先度をＢＷＰ１の優先度よりも高いように設定する場合、ＢＷＰ１とＢＷＰ２がいずれも有効期間内にあると、前記端末装置は優先的に前記ＢＷＰ２でデータ伝送を行うことができる。
【００６０】
又は、ＢＷＰの優先度はＢＷＰ指示情報（即ちＧｒａｎｔ）の受信順序に基づいて確定されてもよく、例えば、前記端末装置は最新に受信したＧｒａｎｔに含まれるＢＷＰの優先度が最も高いことを確定してもよい。選択肢として、前記端末装置は前記ＢＷＰ指示情報を伝送するためのチャネルの優先度設定に基づいてＢＷＰの優先度を確定してもよく、例えば、前記端末装置は前記ＢＷＰ指示情報を伝送するための探索空間（ｓｅａｒｃｈ  ｓｐａｃｅ）、物理ダウンリンク制御チャネル（Ｐｈｙｓｉｃａｌ  Ｄｏｗｎｌｉｎｋ  Ｃｏｎｔｒｏｌ  ＣＨａｎｎｅｌ  、ＰＤＣＣＨ）フォーマット（ｆｏｒｍａｔ）、制御リソースセット（Ｃｏｎｔｒｏｌ  Ｒｅｓｏｕｒｃｅ  Ｓｅｔ、ＣＯＲＥＳＥＴ）及びスケジューリングタイプ（半永続的スケジューリング、動的スケジューリング）のうちの少なくとも１つに基づいてＢＷＰの優先度を確定し、又は前記端末装置は他の情報、例えば、伝送対象サービスのサービスタイプ等の情報に基づいてＢＷＰの優先度を確定してもよく、本願の実施例ではそれを限定しない。
【００６１】
従って、本願の実施例に係るデータ伝送方法によれば、複数のＢＷＰが同時に有効になる場合、前記端末装置は優先度が高いＢＷＰを選択してデータ伝送を行うことができ、端末装置がどのＢＷＰでデータ伝送を行うかを分からないため、伝送効率が低い問題を回避することに有利である。
【００６２】
選択肢として、本願の実施例では、前記ＢＷＰタイマーの設定は特定の時間長さ、特定の時間パターン、データ伝送時間長さ及び無限時間長さのうちの少なくとも１種を含む。
【００６３】
具体的に、前記端末装置は異なるシーンのニーズに応じて、異なるＢＷＰタイマー時間長さを設定し、それにより異なるシーンの伝送ニーズを満たすことができる。例えば、ＢＷＰを頻繁に切り替えないシーンの場合、ＢＷＰタイマーの時間長さを特定の時間長さとしてもよく、ＢＷＰ設定を変更しないシーンの場合のみ、ＢＷＰタイマーの時間長さを無限時間長さとし、それによりＢＷＰ無効シグナリングの受信を回避でき、又は、動的サービスが複数のＢＷＰで伝送されるシーンの場合、ＢＷＰタイマーの時間長さをデータ伝送時間長さ、即ち、実際のデータ伝送用時間長さ等としてもよい。
【００６４】
なお、上記ＢＷＰタイマーの設定に含まれる情報は限定的ではなく例示的なものであり、本願の実施例におけるＢＷＰタイマーの設定は他の情報を含んでもよく、本願の実施例ではそれを限定しない。
【００６５】
選択肢として、いくつかの実施例では、前記ＢＷＰタイマーはＢＷＰ専用であり、又は個別に設定されるようにしてもよい。
【００６６】
即ち、ＢＷＰごとに専用ＢＷＰタイマーを設定することで、シグナリングを追加して各ＢＷＰに対応するＢＷＰタイマーの時間長さを設定する必要がなく、あるＢＷＰがアクティベーションされると、該ＢＷＰに対応するＢＷＰタイマーもオンにする。又は、シグナリングによって各ＢＷＰに対応のＢＷＰタイマーを設定し、該シグナリングは表示されてもよく、暗黙的であってもよい。本願の実施例では、各ＢＷＰに対応するＢＷＰタイマーの時間長さは同じであってもよく、異なってもよく、具体的に、各ＢＷＰタイマーの時間長さは特定の時間長さ、特定の時間パターン、データ伝送時間長さ及び無限時間長さのうちの１種であってもよい。
【００６７】
以下、実施例１及び実施例２を参照して、ＢＷＰタイマーの確定方法を詳細に説明する。
【００６８】
実施例１：スケジューリングタイプに基づいてＢＷＰタイマーの時間長さを確定する。
【００６９】
実施例１．１：データ伝送時間長さに基づいてＢＷＰタイマーの時間長さを確定する。
【００７０】
該実施例では、ＢＷＰタイマーの時間長さはデータ伝送時間長さであってもよい。例えば、半永続的スケジューリングの場合、データ伝送時間長さは半永続的スケジューリングの時間長さであってもよく、該半永続的スケジューリングの時間長さは半永続的スケジューリングの開始時刻から終了時刻までの時間長さであってもよく、半永続的スケジューリングの開始時刻から終了時刻までの半永続的スケジューリング伝送用の時間長さであってもよい。動的スケジューリングの場合、ＢＷＰの時間長さは動的スケジューリングのデータ伝送時間長さであってもよい。従って、本願の実施例に係るＢＷＰタイマーはスケジューリングタイプ及びデータ伝送時間長さに基づいて確定でき、それによりＢＷＰ設定は更にデータ伝送ニーズを満たすことができる。
【００７１】
例えば、図３は半永続的スケジューリングのシーンを示し、ある時刻に、端末装置はＢＷＰ１指示を含むダウンリンク制御情報（Ｇｒａｎｔ１と記す）を受信し、該Ｇｒａｎｔ１はＢＷＰ１でデータ伝送を行うように前記端末装置に指示することに用いられ、該スケジューリング方式は半永続的スケジューリングであるため、ＢＷＰ１に対応するＢＷＰタイマーの時間長さは半永続的スケジューリングの時間長さであり、即ち、ＢＷＰ１の有効期間は半永続的スケジューリングの時間長さである。半永続的スケジューリングの時間長さ範囲、即ちＢＷＰ１の有効期間内に、前記端末装置はＢＷＰ１でデータ伝送を行うことができる。例えば、半永続的スケジューリングの開始時刻を０ｍｓ、終了時刻を３０ｍｓ、スケジューリング周期を１０ｍｓ、各スケジューリング周期における半永続的スケジューリング用の時間長さを５ｍｓとする場合、１回のデータ伝送の時間長さは５ｍｓであってもよく、前記半永続的スケジューリングの時間長さは３０ｍｓ、又は１５ｍｓであってもよい。
【００７２】
図４は動的スケジューリングのシーンを示し、ある時刻に、端末装置はＢＷＰ１指示を含むダウンリンク制御情報（Ｇｒａｎｔ１と記す）を受信し、該Ｇｒａｎｔ１はＢＷＰ１でデータ伝送を行うように前記端末装置に指示することに用いられ、該スケジューリング方式は動的スケジューリングであるため、該ＢＷＰ１に対応するＢＷＰタイマーの時間長さは動的スケジューリングの時間長さ、即ちＢＷＰ１でデータを伝送する時間長さであってもよい。ＢＷＰ１でのデータ伝送が終了した後、ＢＷＰ１に対応するＢＷＰタイマーが無効になる。その後、端末装置はＢＷＰ２指示を含むダウンリンク制御情報（Ｇｒａｎｔ２と記す）を受信し、該Ｇｒａｎｔ２はＢＷＰ２でデータ伝送を行うように前記端末装置に指示することに用いられ、該スケジューリング方式は動的スケジューリングである場合、該ＢＷＰ２に対応するＢＷＰタイマーの時間長さはＢＷＰ２でデータを伝送する時間長さであり、ＢＷＰ２でのデータ伝送が終了した後、ＢＷＰ２に対応するＢＷＰタイマーは無効になる。
【００７３】
実施例１．２：データ伝送時間長さ及び半静的に設定されるＢＷＰタイマーの時間長さに基づいてＢＷＰタイマーの時間長さを確定する。
【００７４】
前記端末装置はデータ伝送時間長さ及び半静的に設定されるＢＷＰタイマーの時間長さ（又は、半静的に設定されるＢＷＰの有効期間）を総合的に考慮して、ＢＷＰタイマーの時間長さを確定し、それによりＢＷＰ設定の粒度を更に小さくし、更にシステム効率を向上させることができる。例えば、前記端末装置はＢＷＰタイマーの時間長さとしてデータ伝送時間長さ及び半静的に設定されるＢＷＰタイマーの時間長さのうちの小さい一方を確定する。
【００７５】
具体的に、半永続的スケジューリングの場合、半永続的スケジューリング用のリソースの時間領域長さは通常長く（例えば、接続状態の全時間領域長さである可能性がある）、半静的に設定されるＢＷＰタイマーの時間長さは通常半永続的スケジューリングのリソースの時間領域長さ未満であり、この場合、前記ＢＷＰタイマーの時間長さは半静的に設定されるＢＷＰタイマーの時間長さであってもよい。
【００７６】
例えば、図５に示される半永続的スケジューリングのシーンの場合、ある時刻に、端末装置はＢＷＰ１指示を含むダウンリンク制御情報（Ｇｒａｎｔ１と記す）を受信し、該Ｇｒａｎｔ１はＢＷＰ１でデータ伝送を行うように前記端末装置に指示することに用いられ、ＢＷＰ１のＢＷＰタイマーの時間長さは半静的に設定されるＢＷＰタイマーの時間長さであってもよい。該ＢＷＰ１に対応するＢＷＰタイマーがタイムアウトした後、端末装置はデフォルトＢＷＰに切り替え、デフォルトＢＷＰでデータ伝送を行い、デフォルトＢＷＰのＢＷＰタイマーの時間長さは制限されない。端末装置が新たなＧｒａｎｔ２を受信するまで、更に、前記端末装置はＧｒａｎｔ２の指示に基づいて、ＢＷＰ２でデータ伝送を行い、ＢＷＰ２に対応するタイマーの時間長さは半静的に設定されるＢＷＰタイマーの時間長さであってもよい。即ち、半永続的スケジューリングでは複数の独立したＢＷＰタイマーを含み得る。
【００７７】
動的スケジューリングの場合、動的スケジューリングの時間領域長さは通常半静的に設定されるＢＷＰタイマーの時間長さ未満であり、即ち、動的スケジューリングの時間領域長さ及び半静的に設定されるＢＷＰタイマーの時間長さのうちの小さい値は動的スケジューリングの時間領域長さである。従って、前記端末装置は前記ＢＷＰタイマーの時間長さとして動的スケジューリングの時間領域長さを確定してもよく、即ち、動的スケジューリングでは、各回の動的スケジューリングは独立したＢＷＰタイマーに対応してもよい。
【００７８】
例えば、図６は動的スケジューリングのシーンを示し、ある時刻に、端末装置はＢＷＰ１指示を含むダウンリンク制御情報（Ｇｒａｎｔ１と記す）を受信し、該Ｇｒａｎｔ１はＢＷＰ１でデータ伝送を行うように前記端末装置に指示することに用いられ、該ＢＷＰ１に対応するＢＷＰタイマーの時間長さはＢＷＰ１でデータを伝送する時間長さであってもよい。その後、端末装置はＢＷＰ２指示を含むダウンリンク制御情報（Ｇｒａｎｔ２と記す）を受信し、該Ｇｒａｎｔ２はＢＷＰ２でデータ伝送を行うように前記端末装置に指示することに用いられる場合、該ＢＷＰ２に対応するＢＷＰタイマーの時間長さはＢＷＰ２でデータを伝送する時間長さである。
【００７９】
該実施例１をまとめて分かるように、前記端末装置はスケジューリングタイプに基づいて、ＢＷＰに対応するＢＷＰタイマーの時間長さを確定することができる。例えば、半永続的スケジューリングの場合、ＢＷＰタイマーの時間長さは半永続的スケジューリングの時間長さに等しくてもよい。又は、動的スケジューリングの場合、ＢＷＰタイマーの時間長さはデータ伝送時間長さ、又は半静的に設定されるＢＷＰの有効期間であってもよい。
【００８０】
実施例２：ＢＷＰ設定の状態に基づいてＢＷＰタイマーの時間長さを確定する。
【００８１】
具体的に、ＢＷＰ設定の状態は同時に有効になるＢＷＰの数を指示することに用いられてもよく、ここで、同時に有効になるＢＷＰの数はアクティベーションされたＢＷＰのみを含み、デフォルトＢＷＰを含まない。例えば、現在１つのＢＷＰのみが有効状態（状態１と記す）にある場合、該ＢＷＰのＢＷＰタイマーの時間長さは実施例１で説明される方式に応じて確定でき、ここで繰り返して説明しない。又は、現在複数のＢＷＰが有効状態（状態２と記す）にある場合、前記端末装置はＢＷＰの優先度に基づいて各ＢＷＰに対応するＢＷＰタイマーの時間長さを確定できる。例えば、前記端末装置は優先度が高いＢＷＰに対応するＢＷＰタイマーの時間長さをデータ伝送時間長さとして確定し、優先度が低いＢＷＰの時間長さを半静的に設定されるＢＷＰの有効期間として確定してもよい。このように、前記端末装置は優先度が高いＢＷＰで優先的にデータ伝送を行い、伝送終了後、優先度が低いＢＷＰの有効期間が切れていない場合、優先度が低いＢＷＰでデータ伝送を行い、そうでない場合は、デフォルトＢＷＰに戻ってデータ伝送を行う。それにより、複数のＢＷＰが同時に有効になる場合、ＢＷＰの柔軟な切り替えを実現し、システム効率を向上させることができる。
【００８２】
例えば、図７では、ある時刻に、端末装置はＢＷＰ１指示を含むダウンリンク制御情報（Ｇｒａｎｔ１と記す）を受信し、該Ｇｒａｎｔ１はＢＷＰ１でデータ伝送を行うように前記端末装置に指示することに用いられ、この時、ＢＷＰ１のみが有効状態（デフォルトＢＷＰを除外する）（上記状態１に対応する）にあり、該ＢＷＰ１に対応するＢＷＰタイマーの時間長さは半静的に設定されるＢＷＰ１の有効期間、又はデータ伝送時間長さであってもよい。その後、端末装置はＢＷＰ２指示を含むダウンリンク制御情報（Ｇｒａｎｔ２と記す）を更に受信し、該Ｇｒａｎｔ２はＢＷＰ２でデータ伝送を行うように前記端末装置に指示することに用いられ、この時、ＢＷＰ１の有効期間が切れず、即ちＢＷＰ１とＢＷＰ２がいずれも有効状態（上記状態２に対応する）にあり、前記端末装置はＢＷＰの優先度に基づいてＢＷＰ２の優先度がＢＷＰ１の優先度よりも高いことを確定するため、端末装置はＢＷＰ２に切り替えてデータ伝送を行い、該ＢＷＰ２に対応するＢＷＰタイマーの時間長さはＢＷＰ２でデータを伝送する時間長さ（即ち、図７に示される網掛け部分の時間長さ）であってもよい。ＢＷＰ２での伝送の終了後、ＢＷＰ１に対応するＢＷＰタイマーがタイムアウトしていない場合、前記端末装置はＢＷＰ１に切り替えてデータ伝送を行い、又は、ＢＷＰ１のＢＷＰタイマーがタイムアウトし、且つアクティブ状態にある他のＢＷＰがない場合、前記端末装置はデフォルトＢＷＰに切り替えてデータ伝送を行う。
【００８３】
図７に示される例では、ＢＷＰ１に対応するＢＷＰタイマーの時間長さとして特定の時間長さを設定してもよく、例えば、ＢＷＰ１で伝送されるサービスタイプに基づいて、対応するＢＷＰタイマーの時間長さを確定してもよい。ＢＷＰ１に対応するＢＷＰタイマーの時間長さを２０ｍｓ、ＢＷＰ２に対応するＢＷＰタイマーの時間長さを１回のデータ伝送の時間長さとする場合、端末装置はＢＷＰ１指示を含むダウンリンク制御情報を受信した場合、前記端末装置はＢＷＰ１に対応するＢＷＰタイマーの時間長さ範囲内にデータを受信することができる。ＢＷＰ１に対応するＢＷＰタイマーの時間長さ範囲内に、端末装置はＢＷＰ２指示を含むダウンリンク制御情報を更に受信し、ＢＷＰの優先度に基づいて、前記端末装置はＢＷＰ２の優先度がＢＷＰ１の優先度よりも高いことを確定する場合、端末装置はＢＷＰ２に切り替えてデータを受信し、時間長さはＢＷＰ２でデータを受信する時間長さである。ＢＷＰ２でのデータ受信の終了後、前記端末装置はＢＷＰ１に切り替えて続いてＢＷＰ１でデータ伝送を行う（ＢＷＰ１に対応するＢＷＰタイマーがタイムアウトしない場合に限られ、一方で、タイムアウトした場合、デフォルトＢＷＰに切り替える）。
【００８４】
図７は動的スケジューリングのシーンを示す。以下、図８に示される半永続的スケジューリングのシーンを参照して、複数のＢＷＰが同時に有効になる場合におけるデータ伝送を説明する。
【００８５】
図８では、ある時刻に、前記端末装置はＢＷＰ１指示を含むダウンリンク制御情報（Ｇｒａｎｔ１と記す）を受信し、該Ｇｒａｎｔ１はＢＷＰ１でデータ伝送を行うように前記端末装置に指示することに用いられ、ＢＷＰ１のスケジューリング方式は半永続的スケジューリングであるため、ＢＷＰ１に対応するタイマー時間長さはデータ伝送時間長さ、半永続的スケジューリングの開始時刻から終了時刻まで、又は半永続的スケジューリングの開始時刻から終了時刻までのすべての半永続的スケジューリングのリソースの時間間隔、又は半永続的スケジューリングの開始時刻から終了時刻までの伝送する半永続的スケジューリングのリソースの時間間隔である。その後、端末装置はＢＷＰ２指示を含むダウンリンク制御情報（Ｇｒａｎｔ２と記す）を更に受信し、該Ｇｒａｎｔ２はＢＷＰ２でデータ伝送を行うように前記端末装置に指示することに用いられ、該スケジューリングは動的スケジューリングである場合、ＢＷＰ２に対応するタイマー時間長さは１回のデータ伝送時間長さである。前記端末装置はＢＷＰの優先度に基づいてＢＷＰ２の優先度がＢＷＰ１の優先度よりも高いことを確定する場合、端末装置はＢＷＰ２に切り替えてデータ伝送を行い、ＢＷＰ２でのデータ受信の終了後、ＢＷＰ１に切り替え、続いてＢＷＰ１でデータを受信し、それによりシグナリングを用いたＢＷＰ切り替えによるシグナリングオーバーヘッドを回避する。
【００８６】
選択肢として、いくつかの実施例では、前記方法２００は、
前記端末装置は前記帯域幅部分（ＢＷＰ）指示情報、ＢＷＰタイマー及びＢＷＰの優先度のうちの少なくとも１種の設定情報を受信することを更に含んでもよい。
【００８７】
即ち、ネットワーク装置は前記端末装置にＢＷＰ指示情報、ＢＷＰタイマー及びＢＷＰの優先度のうちの少なくとも１種を設定してもよく、例えば、前記ネットワーク装置は動的シグナリング又は半静的シグナリングによって上記情報のうちの少なくとも１つを設定してもよい。選択肢として、前記端末装置はターゲットＢＷＰを確定するための他の設定情報を受信してもよく、本願の実施例ではそれを限定しない。
【００８８】
以上、図２〜図８を参照して、端末装置側から本願の実施例に係るデータ伝送方法を詳細に説明したが、以下、図９を参照してネットワーク装置側から本願の他の実施例に係るデータ伝送方法を詳細に説明する。なお、ネットワーク装置側の動作は端末装置側の動作と類似するため、類似説明は上記説明を参照すればよく、重複を回避するために、ここで繰り返して説明しない。
【００８９】
図９は本願の他の実施例に係るデータ伝送方法３００の模式的なフローチャートであり、該方法３００は図１に示される通信システムにおける端末装置によって実行されてもよく、図９に示すように、該方法３００は下記Ｓ３１０〜Ｓ３２０を含む。
【００９０】
Ｓ３１０、ネットワーク装置は帯域幅部分（ＢＷＰ）指示情報、ＢＷＰタイマー及びＢＷＰの優先度のうちの少なくとも１種に基づいて、ターゲットＢＷＰを確定する。
【００９１】
Ｓ３２０、前記ネットワーク装置は前記ターゲットＢＷＰでデータを受信する。
【００９２】
選択肢として、いくつかの実施例では、前記ネットワーク装置が帯域幅部分（ＢＷＰ）指示、ＢＷＰタイマー及びＢＷＰの優先度のうちの少なくとも１種に基づいてターゲットＢＷＰを確定することは、
ネットワーク装置が、優先度の高いＢＷＰを前記ターゲットＢＷＰとして確定することを含む。
【００９３】
選択肢として、いくつかの実施例では、前記ＢＷＰの優先度はシグナリング設定、ＢＷＰ指示情報の受信順序及びＢＷＰ指示情報が位置するチャネルの優先度設定のうちの少なくとも１種によって確定される。
【００９４】
選択肢として、いくつかの実施例では、デフォルトＢＷＰの優先度は最も低い。
【００９５】
選択肢として、いくつかの実施例では、前記ＢＷＰタイマーの設定は特定の時間長さ、特定の時間パターン、データ伝送時間長さ及び無限時間長さのうちの少なくとも１種を含む。
【００９６】
選択肢として、いくつかの実施例では、前記データ伝送時間長さは１回のデータ伝送の時間長さ、又は半永続的スケジューリングの時間長さである。
【００９７】
選択肢として、いくつかの実施例では、前記ＢＷＰタイマーはＢＷＰ専用であり、又は個別に設定される。
【００９８】
選択肢として、いくつかの実施例では、前記ＢＷＰタイマーは、ＢＷＰ設定の状態及びスケジューリングタイプのうちの少なくとも１種によって確定される。
【００９９】
選択肢として、いくつかの実施例では、前記ＢＷＰ設定の状態は、同時に有効になるＢＷＰの数を指示することに用いられる。
【０１００】
選択肢として、いくつかの実施例では、前記方法は、
前記ネットワーク装置が、帯域幅部分（ＢＷＰ）指示情報、ＢＷＰタイマー及びＢＷＰの優先度のうちの少なくとも１種の設定情報を端末装置に送信することを更に含む。
【０１０１】
以上、図２〜図９を参照して本願の方法の実施例を詳細に説明したが、以下、図１０〜図１３を参照して本願の装置の実施例を詳細に説明する。なお、装置の実施例は方法の実施例に対応し、類似の説明については方法の実施例を参照すればよい。
【０１０２】
図１０は本願の実施例に係る端末装置４００の模式的なブロック図を示す。図１０に示すように、該端末装置４００は、
帯域幅部分（ＢＷＰ）指示情報、ＢＷＰタイマー及びＢＷＰの優先度のうちの少なくとも１種に基づいて、ターゲットＢＷＰを確定することに用いられる確定モジュール４１０と、
前記ターゲットＢＷＰでデータを伝送することに用いられる通信モジュール４２０と、を備える。
【０１０３】
選択肢として、いくつかの実施例では、前記確定モジュール４１０は具体的に、優先度が高いＢＷＰを前記ターゲットＢＷＰとして確定することに用いられる。
【０１０４】
選択肢として、いくつかの実施例では、前記ＢＷＰの優先度はシグナリング設定、ＢＷＰ指示情報の受信順序及びＢＷＰ指示情報が位置するチャネルの優先度設定のうちの少なくとも１種によって確定される。
【０１０５】
選択肢として、いくつかの実施例では、デフォルトＢＷＰの優先度は最も低い。
【０１０６】
選択肢として、いくつかの実施例では、前記ＢＷＰタイマーの設定は特定の時間長さ、特定の時間パターン、データ伝送時間長さ及び無限時間長さのうちの少なくとも１種を含む。
【０１０７】
選択肢として、いくつかの実施例では、前記データ伝送時間長さは１回のデータ伝送の時間長さ、又は半永続的スケジューリングの時間長さである。
【０１０８】
選択肢として、いくつかの実施例では、前記ＢＷＰタイマーはＢＷＰ専用であり、又は個別に設定される。
【０１０９】
選択肢として、いくつかの実施例では、前記ＢＷＰタイマーは、ＢＷＰ設定の状態及びスケジューリングタイプのうちの少なくとも１種によって確定される。
【０１１０】
選択肢として、いくつかの実施例では、前記ＢＷＰ設定の状態は、同時に有効になるＢＷＰの数を指示することに用いられる。
【０１１１】
選択肢として、いくつかの実施例では、前記通信モジュール４２０は更に、前記帯域幅部分（ＢＷＰ）指示情報、ＢＷＰタイマー及びＢＷＰの優先度のうちの少なくとも１種の設定情報を受信することに用いられる。
【０１１２】
なお、本願の実施例に係る端末装置４００は本願の方法の実施例における端末装置に対応でき、且つ端末装置４００における各ユニットの上記及び他の操作及び／又は機能はそれぞれ図２に示される方法２００における端末装置の対応するプロセスを実現し、簡潔さのために、ここで繰り返して説明しない。
【０１１３】
図１１は本願の実施例に係るネットワーク装置の模式的なブロック図である。図１１のネットワーク装置５００は、
帯域幅部分（ＢＷＰ）指示情報、ＢＷＰタイマー及びＢＷＰの優先度のうちの少なくとも１種に基づいて、ターゲットＢＷＰを確定することに用いられる確定モジュール５１０と、
前記ターゲットＢＷＰでデータを受信することに用いられる通信モジュール５２０と、を備える。
【０１１４】
選択肢として、いくつかの実施例では、前記確定モジュールは具体的に、優先度が高いＢＷＰを前記ターゲットＢＷＰとして確定することに用いられる。
【０１１５】
選択肢として、いくつかの実施例では、前記ＢＷＰの優先度はシグナリング設定、ＢＷＰ指示情報の受信順序及びＢＷＰ指示情報が位置するチャネルの優先度設定のうちの少なくとも１種によって確定される。
【０１１６】
選択肢として、いくつかの実施例では、デフォルトＢＷＰの優先度は最も低い。
【０１１７】
選択肢として、いくつかの実施例では、前記ＢＷＰタイマーの設定は特定の時間長さ、特定の時間パターン、データ伝送時間長さ及び無限時間長さのうちの少なくとも１種を含む。
【０１１８】
選択肢として、いくつかの実施例では、前記データ伝送時間長さは１回のデータ伝送の時間長さ、又は半永続的スケジューリングの時間長さである。
【０１１９】
選択肢として、いくつかの実施例では、前記ＢＷＰタイマーはＢＷＰ専用であり、又は個別に設定される。
【０１２０】
選択肢として、いくつかの実施例では、前記ＢＷＰタイマーは、ＢＷＰ設定の状態及びスケジューリングタイプのうちの少なくとも１種によって確定される。
【０１２１】
選択肢として、いくつかの実施例では、前記ＢＷＰ設定の状態は、同時に有効になるＢＷＰの数を指示することに用いられる。
【０１２２】
選択肢として、いくつかの実施例では、前記通信モジュール５２０は更に、帯域幅部分（ＢＷＰ）指示情報、ＢＷＰタイマー及びＢＷＰの優先度のうちの少なくとも１種の設定情報を端末装置に送信することに用いられる。
【０１２３】
具体的に、該ネットワーク装置５００は上記方法３００において説明されるネットワーク装置に対応でき（例えば、ネットワーク装置に配置されるか又はネットワーク装置自体である）、且つ、該ネットワーク装置５００における各モジュール又はユニットはそれぞれ上記方法３００におけるネットワーク装置によって実行される各動作又は処理プロセスを実行することに用いられ、ここでは重複を回避するために、その詳細説明を省略する。
【０１２４】
図１２に示すように、本願の実施例は端末装置６００を更に提供し、前記端末装置６００は図１０における端末装置４００であってもよく、図２における方法２００に対応する端末装置の動作を実行することに用いられることができる。前記端末装置６００は入力インタフェース６１０、出力インタフェース６２０、プロセッサ６３０及びメモリ６４０を備え、前記入力インタフェース６１０、出力インタフェース６２０、プロセッサ６３０及びメモリ６４０はバスシステムによって接続されてもよい。前記メモリ６４０はプログラム、命令又はコードを記憶することに用いられる。前記プロセッサ６３０は、前記メモリ６４０におけるプログラム、命令又はコードを実行して、入力インタフェース６１０による信号受信、出力インタフェース６２０による信号送信及び上記方法の実施例における操作の実行を制御することに用いられる。
【０１２５】
なお、本願の実施例では、前記プロセッサ６３０は中央処理装置（Ｃｅｎｔｒａｌ  Ｐｒｏｃｅｓｓｉｎｇ  Ｕｎｉｔ、「ＣＰＵ」と略称する）であってもよく、前記プロセッサ６３０は他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジック装置、ディスクリートハードウェアユニット等であってもよい。汎用プロセッサはマイクロプロセッサであってもよく、又は前記プロセッサは任意の通常のプロセッサ等であってもよい。
【０１２６】
前記メモリ６４０は読み出し専用メモリ及びランダムアクセスメモリを含み、プロセッサ６３０に命令及びデータを提供してもよい。メモリ６４０の一部として、不揮発性ランダムアクセスメモリを更に含んでもよい。例えば、メモリ６４０は更にデバイスタイプの情報を記憶してもよい。
【０１２７】
実現中、上記方法の各動作はプロセッサ６３０におけるハードウェアの集積論理回路又はソフトウェア形態の命令によって実行できる。本願の実施例を参照して開示されている方法の動作は直接にハードウェアプロセッサによって実行され、又はプロセッサにおけるハードウェア及びソフトウェアモジュールの組み合わせによって実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。前記記憶媒体はメモリ６４０に位置し、プロセッサ６３０はメモリ６４０中の情報を読み取り、そのハードウェアと組み合わせて上記方法の動作を実行する。重複を回避するために、ここでは詳細説明を省略する。
【０１２８】
１つの具体的な実施形態では、図１０における端末装置４００に備えられる通信モジュール４２０は図１２の前記入力インタフェース６１０及び前記出力インタフェース６２０によって実現でき、図１０における端末装置４００に備えられる確定モジュール４１０は図１２の前記プロセッサ６３０によって実現できる。
【０１２９】
図１３に示すように、本願の実施例ではネットワーク装置７００を更に提供し、前記ネットワーク装置７００は図１１におけるネットワーク装置５００であってもよく、図９における方法３００に対応するネットワーク装置の動作を実行することに用いられることができる。前記ネットワーク装置７００は入力インタフェース７１０、出力インタフェース７２０、プロセッサ７３０及びメモリ７４０を備え、前記入力インタフェース７１０、出力インタフェース７２０、プロセッサ７３０及びメモリ７４０はバスシステムによって接続されてもよい。前記メモリ７４０はプログラム、命令又はコードを記憶することに用いられる。前記プロセッサ７３０は前記メモリ７４０におけるプログラム、命令又はコードを実行して、入力インタフェース７１０による信号受信、出力インタフェース７２０による信号送信及び上記方法の実施例における操作の実行を制御することに用いられる。
【０１３０】
なお、本願の実施例では、前記プロセッサ７３０は中央処理装置（Ｃｅｎｔｒａｌ  Ｐｒｏｃｅｓｓｉｎｇ  Ｕｎｉｔ、「ＣＰＵ」と略称する）であってもよく、前記プロセッサ７３０は他の汎用プロセッサ、デジタル信号プロセッサ（ＤＳＰ）、特定用途向け集積回路（ＡＳＩＣ）、フィールドプログラマブルゲートアレイ（ＦＰＧＡ）又はその他プログラマブルロジックデバイス、ディスクリートゲート又はトランジスタロジック装置、ディスクリートハードウェアユニット等であってもよい。汎用プロセッサはマイクロプロセッサであってもよく、又は前記プロセッサは任意の通常のプロセッサ等であってもよい。
【０１３１】
前記メモリ７４０は読み出し専用メモリ及びランダムアクセスメモリを含み、プロセッサ７３０に命令及びデータを提供してもよい。メモリ７４０の一部として、不揮発性ランダムアクセスメモリを含んでもよい。例えば、メモリ７４０は更にデバイスタイプの情報を記憶してもよい。
【０１３２】
実現中、上記方法の各動作はプロセッサ７３０におけるハードウェアの集積論理回路又はソフトウェア形態の命令によって実行できる。本願の実施例を参照して開示されている方法の動作は直接にハードウェアプロセッサによって実行され、又はプロセッサにおけるハードウェア及びソフトウェアモジュールの組み合わせによって実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。前記記憶媒体はメモリ７４０に位置し、プロセッサ７３０はメモリ７４０における情報を読み取り、そのハードウェアと組み合わせて上記方法の動作を実行する。重複を回避するために、ここでは詳細説明を省略する。
【０１３３】
１つの具体的な実施形態では、図１１におけるネットワーク装置５００に備えられる通信モジュール５２０は図１３における前記入力インタフェース７１０及び前記出力インタフェース７２０によって実現でき、図１１におけるネットワーク装置５００に備えられる確定モジュール５１０は図１３における前記プロセッサ７３０によって実現できる。
【０１３４】
本願の実施例ではコンピュータ可読記憶媒体を更に提供し、該コンピュータ可読記憶媒体は１つ又は複数のプログラムを記憶し、該１つ又は複数のプログラムは命令を含み、該命令は複数のアプリケーションプログラムを含む携帯型電子機器によって実行されると、図２及び図９に示される実施例の方法を該携帯型電子機器に実行させることができる。
【０１３５】
本願の実施例ではコンピュータプログラムを更に提供し、該コンピュータプログラムは命令を含み、該コンピュータプログラムがコンピュータによって実行されると、コンピュータに図２及び図９に示される実施例の方法の対応するプロセスを実行させる。
【０１３６】
当業者であれば、本明細書に開示されている実施例を参照して説明された各例示のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は本願の範囲を逸脱せずに、説明された機能を各特定の応用に応じて異なる方法で実現できる。
【０１３７】
当業者であれば、説明の便宜及び簡潔上、上記説明したシステム、装置及びユニットの具体的な動作プロセスについては、上記方法の実施例の対応するプロセスを参照すればよいと理解できるため、ここで繰り返して説明しない。
【０１３８】
本願によるいくつかの実施例では、開示されているシステム、装置及び方法を他の形態で実現できると理解すべきである。例えば、以上説明された装置の実施例は単に例示的なものであり、例えば、前記ユニットの分割は単に１種のロジック機能分割であり、実際の実装では他の分割方式を採用してもよく、例えば複数のユニット又は要素を他のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又は他の形態としてもよい。
【０１３９】
前記分離部材として説明されたユニットは物理的に分離しているものであってもよく、物理的に分離しているものでなくてもよく、ユニットとして表示される部材は物理ユニットであってもよく物理ユニットでなくてもよく、即ち、１つの場所に位置してもよく、複数のネットワークユニットに分散してもよい。実際の必要に応じて一部又はすべてのユニットを選択して本実施例の技術案の目的を実現することができる。
【０１４０】
また、本願の実施例の各々における各機能ユニットは１つの処理ユニットに集積されてもよく、別々に物理的に存在してもよく、２つ又は２つ以上のユニットは１つのユニットに集積されてもよい。
【０１４１】
前記機能はソフトウェア機能ユニットの形態で実現されて、独立した製品として販売又は使用される場合、１つのコンピュータ可読記憶媒体に記憶されてもよい。このような理解に基づいて、本願の技術案は本質的に又は従来技術に貢献する部分又は該技術案の一部はソフトウェア製品の形態で実施され得ており、該コンピュータソフトウェア製品は１つの記憶媒体に記憶され、１つのコンピュータ装置（パーソナルコンピュータ、サーバ、又はネットワーク装置等）に本願の実施例の各々に係る方法の全て又は一部のステップを実行させるための複数の命令を含む。上記記憶媒体は、Ｕディスク、モバイルディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプロクラムコードを記憶可能な種々の媒体を含む。
【０１４２】
以上は、本願の具体的な実施形態に過ぎず、本願の保護範囲はそれに限定されるものではなく、当業者が本願に開示されている技術範囲を逸脱せずに容易に想到し得る変更や置換はすべて本願の保護範囲に属する。従って、本願の保護範囲は特許請求の範囲の保護範囲に準じるべきである。
【図１】
2021510463.tif 000003
【図２】
2021510463.tif 000004
【図３】
2021510463.tif 000005
【図４】
2021510463.tif 000006
【図５】
2021510463.tif 000007
【図６】
2021510463.tif 000008
【図７】
2021510463.tif 000009
【図８】
2021510463.tif 000010
【図９】
2021510463.tif 000011
【図１０】
2021510463.tif 000012
【図１１】
2021510463.tif 000013
【図１２】
2021510463.tif 000014
【図１３】
2021510463.tif 000015
【手続補正書】
【提出日】令和2年10月29日(2020.10.29)
【手続補正１】
【補正対象書類名】明細書
【補正対象項目名】０００８
【補正方法】変更
【補正の内容】
【０００８】
第１態様において、第１態様のいくつかの可能な実施形態では、前記端末装置が帯域幅部分（ＢＷＰ）指示情報、ＢＷＰタイマー及びＢＷＰの優先度のうちの少なくとも１種に基づいてターゲットＢＷＰを確定することは、
前記端末装置が、優先度の高いＢＷＰを前記ターゲットＢＷＰとして確定することを含む。
【手続補正２】
【補正対象書類名】明細書
【補正対象項目名】００１２
【補正方法】変更
【補正の内容】
【００１２】
第１態様において、第１態様のいくつかの可能な実施形態では、前記ＢＷＰタイマーの設定は特定の時間長さ、特定の時間パターン、データ伝送時間長さ及び無限時間長さのうちの少なくとも１種を含む。従って、前記端末装置は異なるシーンのニーズに応じて、異なるＢＷＰタイマー時間長さを設定し、それにより異なるシーンの伝送ニーズを満たすことができる。
【手続補正３】
【補正対象書類名】明細書
【補正対象項目名】００２１
【補正方法】変更
【補正の内容】
【００２１】
第２態様において、第２態様のいくつかの可能な実施形態では、前記ネットワーク装置が帯域幅部分（ＢＷＰ）指示情報、ＢＷＰタイマー及びＢＷＰの優先度のうちの少なくとも１種に基づいてターゲットＢＷＰを確定することは、
ネットワーク装置が、優先度の高いＢＷＰを前記ターゲットＢＷＰとして確定することを含む。
【手続補正４】
【補正対象書類名】明細書
【補正対象項目名】００４０
【補正方法】変更
【補正の内容】
【００４０】
本願の実施例に係る技術案は、例えば、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、又は将来の５Ｇシステム等の各種の通信システムに適用される。
【手続補正５】
【補正対象書類名】明細書
【補正対象項目名】００４１
【補正方法】変更
【補正の内容】
【００４１】
図１は本願の実施例の応用する無線通信システム１００を示す。該無線通信システム１００はネットワーク装置１１０を含み得る。ネットワーク装置１１０は端末装置と通信する装置であり得る。ネットワーク装置１１０は特定の地理的エリアに通信カバレッジを提供し、且つ該カバレッジエリア内に位置する端末装置（例えば、ＵＥ）と通信可能である。選択肢として、該ネットワーク装置１１０はＬＴＥシステム中の発展型基地局（Ｅｖｏｌｕｔｉｏｎａｌ  Ｎｏｄｅ  Ｂ、ｅＮＢ又はｅＮｏｄｅＢ）であってもよく、又は、該ネットワーク装置は中継局、アクセスポイント、車載装置、ウェアラブル装置、将来の５Ｇネットワーク中のネットワーク側装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）中のネットワーク装置等であってもよい。
【手続補正６】
【補正対象書類名】明細書
【補正対象項目名】００６６
【補正方法】変更
【補正の内容】
【００６６】
即ち、ＢＷＰごとに専用ＢＷＰタイマーを設定することで、シグナリングを追加して各ＢＷＰに対応するＢＷＰタイマーの時間長さを設定する必要がなく、あるＢＷＰがアクティベーションされると、該ＢＷＰに対応するＢＷＰタイマーもオンにする。又は、シグナリングによって各ＢＷＰに対応のＢＷＰタイマーを設定し、該シグナリングは明示的てあってもよく、暗黙的であってもよい。本願の実施例では、各ＢＷＰに対応するＢＷＰタイマーの時間長さは同じであってもよく、異なってもよく、具体的に、各ＢＷＰタイマーの時間長さは特定の時間長さ、特定の時間パターン、データ伝送時間長さ及び無限時間長さのうちの１種であってもよい。
【手続補正７】
【補正対象書類名】明細書
【補正対象項目名】００７５
【補正方法】変更
【補正の内容】
【００７５】
具体的に、半永続的スケジューリングの場合、半永続的スケジューリング用のリソースの時間領域長さは通常長く（例えば、接続状態の全時間領域長さである可能性がある）、半静的に設定されるＢＷＰタイマーの時間長さは通常半永続的スケジューリングのためののリソースの時間領域長さ未満であり、この場合、前記ＢＷＰタイマーの時間長さは半静的に設定されるＢＷＰタイマーの時間長さであってもよい。
【手続補正８】
【補正対象書類名】明細書
【補正対象項目名】００９２
【補正方法】変更
【補正の内容】
【００９２】
選択肢として、いくつかの実施例では、前記ネットワーク装置が帯域幅部分（ＢＷＰ）指示情報、ＢＷＰタイマー及びＢＷＰの優先度のうちの少なくとも１種に基づいてターゲットＢＷＰを確定することは、
ネットワーク装置が、優先度の高いＢＷＰを前記ターゲットＢＷＰとして確定することを含む。
【手続補正９】
【補正対象書類名】特許請求の範囲
【補正対象項目名】全文
【補正方法】変更
【補正の内容】
【特許請求の範囲】
【請求項１】
端末装置は帯域幅部分（ＢＷＰ）指示情報、ＢＷＰタイマー及びＢＷＰの優先度のうちの少なくとも１種に基づいて、ターゲットＢＷＰを確定することと、
前記端末装置は前記ターゲットＢＷＰでデータを伝送することと、を含むことを特徴とするデータ伝送方法。
【請求項２】
前記端末装置が帯域幅部分（ＢＷＰ）指示情報、ＢＷＰタイマー及びＢＷＰの優先度のうちの少なくとも１種に基づいてターゲットＢＷＰを確定することは、
前記端末装置が、優先度の高いＢＷＰを前記ターゲットＢＷＰとして確定することを含むことを特徴とする請求項１に記載の方法。
【請求項３】
前記ＢＷＰの優先度はシグナリング設定、ＢＷＰ指示情報の受信順序及びＢＷＰ指示情報が位置するチャネルの優先度設定のうちの少なくとも１種によって確定されることを特徴とする請求項１又は２に記載の方法。
【請求項４】
デフォルトＢＷＰの優先度は最も低いことを特徴とする請求項１〜３のいずれか一項に記載の方法。
【請求項５】
前記ＢＷＰタイマーの設定は特定の時間長さ、特定の時間パターン、データ伝送時間長さ及び無限時間長さのうちの少なくとも１種を含むことを特徴とする請求項１〜４のいずれか一項に記載の方法。
【請求項６】
前記データ伝送時間長さは１回のデータ伝送の時間長さ、又は半永続的スケジューリングの時間長さであることを特徴とする請求項５に記載の方法。
【請求項７】
前記ＢＷＰタイマーはＢＷＰ専用であり、又は個別に設定されることを特徴とする請求項１〜６のいずれか一項に記載の方法。
【請求項８】
前記端末装置は前記帯域幅部分（ＢＷＰ）指示情報、ＢＷＰタイマー及びＢＷＰの優先度のうちの少なくとも１種の設定情報を受信することを更に含むことを特徴とする請求項１〜７のいずれか一項に記載の方法。
【請求項９】
帯域幅部分（ＢＷＰ）指示情報、ＢＷＰタイマー及びＢＷＰの優先度のうちの少なくとも１種に基づいて、ターゲットＢＷＰを確定することに用いられる確定モジュールと、
前記ターゲットＢＷＰでデータを伝送することに用いられる通信モジュールと、を備えることを特徴とする端末装置。
【請求項１０】
前記確定モジュールは具体的には、
優先度が高いＢＷＰを前記ターゲットＢＷＰとして確定することに用いられることを特徴とする請求項９に記載の端末装置。
【請求項１１】
前記ＢＷＰの優先度はシグナリング設定、ＢＷＰ指示情報の受信順序及びＢＷＰ指示情報が位置するチャネルの優先度設定のうちの少なくとも１種によって確定されることを特徴とする請求項９又は１０に記載の端末装置。
【請求項１２】
デフォルトＢＷＰの優先度は最も低いことを特徴とする請求項９〜１１のいずれか一項に記載の端末装置。
【請求項１３】
前記ＢＷＰタイマーは、ＢＷＰ設定の状態及びスケジューリングタイプのうちの少なくとも１種によって確定されることを特徴とする請求項９〜１２のいずれか一項に記載の端末装置。
【請求項１４】
前記ＢＷＰ設定の状態は、同時に有効になるＢＷＰの数を指示することに用いられることを特徴とする請求項１３に記載の端末装置。
【請求項１５】
前記通信モジュールは更に、
前記帯域幅部分（ＢＷＰ）指示情報、ＢＷＰタイマー及びＢＷＰの優先度のうちの少なくとも１種の設定情報を受信することに用いられることを特徴とする請求項９〜１４のいずれか一項に記載の端末装置。
【国際調査報告】
2021510463.tif 000016
2021510463.tif 000017
2021510463.tif 000018
2021510463.tif 000019
2021510463.tif 000020